(57)【要約】【課題】洗い場床にかかる荷重で熱可塑性発泡樹脂製の床面材の下方への沈み込みを抑制しつつ、施工性をより向上させた浴室洗い場床構造を提供する。【解決手段】熱可塑性発泡樹脂により形成された床面材と、前記床面材の上に設けられ洗い場床の表面を形成する表面材と、を有し、排水口に向けて下方へ傾斜した排水勾配が表面に形成された床本体と、金属製の外枠と、高さ調整可能な支持脚と、を有し、前記床本体を下方から支持するフレーム体と、前記床本体の前記表面よりも下方に設けられるとともに、前記フレーム体に対して直接的に固定されることなく前記フレーム体の上に設けられ、前記床面材よりも高い剛性を有し、前記床面材の沈み込みを抑制する沈み込み抑制体と、を備えたことを特徴とする浴室洗い場床構造である。【選択図】図３
2019196673.tif 000002
【特許請求の範囲】
【請求項１】
熱可塑性発泡樹脂により形成された床面材と、前記床面材の上に設けられ洗い場床の表面を形成する表面材と、を有し、排水口に向けて下方へ傾斜した排水勾配が表面に形成された床本体と、
金属製の外枠と、高さ調整可能な支持脚と、を有し、前記床本体を下方から支持するフレーム体と、
前記床本体の前記表面よりも下方に設けられるとともに、前記フレーム体に対して直接的に固定されることなく前記フレーム体の上に設けられ、前記床面材よりも高い剛性を有し、前記床面材の沈み込みを抑制する沈み込み抑制体と、
を備えたことを特徴とする浴室洗い場床構造。
【請求項２】
前記沈み込み抑制体は、水平方向に延び、高さ方向に厚みを有する複数の横支持材を有し、
前記複数の横支持材の上端は、前記床面材の下端よりも上方に位置することを特徴とする請求項１記載の浴室洗い場床構造。
【請求項３】
前記フレーム体は、前記外枠の内側を格子状に仕切る金属製の格子部をさらに有し、
前記複数の横支持材は、上面視において、少なくとも一部が前記フレーム体の前記外枠及び前記格子部と重ならない位置に配置されていることを特徴とする請求項２記載の浴室洗い場床構造。
【請求項４】
前記格子部は、前記複数の横支持材と同方向に延びる複数の延在部を有し、
上面視において、前記複数の延在部と前記複数の横支持材との間隔は、１０ｃｍ以下であることを特徴とする請求項３記載の浴室洗い場床構造。
【請求項５】
前記沈み込み抑制体と前記フレーム体との間に設けられ、前記沈み込み抑制体及び前記フレーム体よりも低い剛性を有するクッション部をさらに備えたことを特徴とする請求項１〜４のいずれか１つに記載の浴室洗い場床構造。
【発明の詳細な説明】
【技術分野】
【０００１】
本発明は、浴室洗い場床構造に関する。
【背景技術】
【０００２】
浴室洗い場床構造において、熱可塑性発泡樹脂製の床面材（基材）を、鋼材製のデッキプレートの上、または、樹脂板を２枚の鋼板で挟んで補強したサンドイッチパネルの上に載置する構造が知られている。デッキプレートやサンドイッチパネルは、鋼材製のフレーム体の上に固定されている。フレーム体は、外枠や支持脚などを有し、支持脚を介して建築躯体の上に設置される。
【０００３】
こうした浴室洗い場床構造では、デッキプレートやサンドイッチパネルに作業口（点検口）を設け、この作業口から支持脚の調整（床面の水平調整）などを行っている。この際、作業口以外の部分においては、下方のフレーム体が、デッキプレートやサンドイッチパネルによって覆い隠されている。このため、フレーム体の下方（裏側）の広い範囲を視認することが難しい。
【０００４】
一方で、デッキプレートやサンドイッチパネルを設置せずに、熱可塑性発泡樹脂製の床面材を直接格子状のフレーム体の上に載置してしまうと、人が浴室洗い場床に載った際の荷重によって、格子間の隙間で大きく床面材が沈み込んでしまい、歩き心地が悪くなる上、浴室洗い場床に必要な排水勾配が適切に維持できなくなってしまう可能性が生じる。
【０００５】
そこで、例えば特許文献１では、フレーム体の格子間隔を７ｃｍ以下という狭いものにし、デッキプレートやサンドイッチパネルを設けることなく、熱可塑性発泡樹脂製の床面材をフレーム体によって支える構造が検討されている。
【０００６】
しかしながら、特許文献１の構造では、フレーム体の下方の視認性は確保できるものの、格子間隔が狭いものであるため、施工者の体はおろか、腕も入り難い。従って、せっかく視認ができたとしても、格子を介して作業を行うことが難しく、依然として施工性に検討の余地が残されていた。
【先行技術文献】
【特許文献】
【０００７】
【特許文献１】特開２０１５−０６８０１８号公報
【発明の概要】
【発明が解決しようとする課題】
【０００８】
本発明は、かかる課題の認識に基づいてなされたものであり、洗い場床にかかる荷重で熱可塑性発泡樹脂製の床面材の下方への沈み込みを抑制しつつ、施工性をより向上させた浴室洗い場床構造を提供することを目的とする。
【課題を解決するための手段】
【０００９】
第１の発明は、熱可塑性発泡樹脂により形成された床面材と、前記床面材の上に設けられ洗い場床の表面を形成する表面材と、を有し、排水口に向けて下方へ傾斜した排水勾配が表面に形成された床本体と、金属製の外枠と、高さ調整可能な支持脚と、を有し、前記床本体を下方から支持するフレーム体と、前記床本体の前記表面よりも下方に設けられるとともに、前記フレーム体に対して直接的に固定されることなく前記フレーム体の上に設けられ、前記床面材よりも高い剛性を有し、前記床面材の沈み込みを抑制する沈み込み抑制体と、を備えたことを特徴とする浴室洗い場床構造である。
【００１０】
この浴室洗い場床構造によれば、床本体の表面よりも下方に設けられるとともに、フレーム体に対して直接的に固定されることなくフレーム体の上に設けられ、床面材よりも高い剛性を有し、床面材の沈み込みを抑制する沈み込み抑制体を備えたことにより、フレーム体の上に熱可塑性樹脂製の床面材を配置した際にも、人が洗い場床に載った際の荷重によって、床面材が大きく沈み込んでしまうことを抑制することができる。また、間隔の狭い格子などをフレーム体に設ける必要が無く、フレーム体の下方の視認性を確保し、かつ支持脚の調整などをし易くすることができる。従って、床面材が大きく沈み込んで歩き心地が悪くなる問題や、浴室洗い場床に必要な排水勾配が適切に維持できないといった問題を解決しつつ、施工性を向上させることができる。
【００１１】
第２の発明は、第１の発明において、前記沈み込み抑制体は、水平方向に延び、高さ方向に厚みを有する複数の横支持材を有し、前記複数の横支持材の上端は、前記床面材の下端よりも上方に位置することを特徴とする浴室洗い場床構造である。
【００１２】
この浴室洗い場床構造によれば、高さ方向に厚みを有する複数の横支持材によって、床面材が大きく沈み込んでしまうことを、より確実に抑制することができる。さらに、複数の横支持材の上端が、床面材の下端よりも上方に位置することにより、横支持材が配置されている箇所と配置されていない箇所とで、床面材の底部に大きな段差が生じてしまうことを抑制でき、意図した浴室洗い場床の排水勾配を、より適切に維持することができる。
【００１３】
第３の発明は、第２の発明において、前記フレーム体は、前記外枠の内側を格子状に仕切る金属製の格子部をさらに有し、前記複数の横支持材は、上面視において、少なくとも一部が前記フレーム体の前記外枠及び前記格子部と重ならない位置に配置されていることを特徴とする浴室洗い場床構造である。
【００１４】
この浴室洗い場床構造によれば、床面材が沈み込んでしまうことを、より確実に抑制することができる。
【００１５】
第４の発明は、第３の発明において、前記格子部は、前記複数の横支持材と同方向に延びる複数の延在部を有し、上面視において、前記複数の延在部と前記複数の横支持材との間隔は、１０ｃｍ以下であることを特徴とする浴室洗い場床構造である。
【００１６】
この浴室洗い場床構造によれば、複数の延在部及び複数の横支持材によって、しっかりと床面材の沈み込みを抑制することができる。
【００１７】
第５の発明は、第１〜第４のいずれかの発明において、前記沈み込み抑制体と前記フレーム体との間に設けられ、前記沈み込み抑制体及び前記フレーム体よりも低い剛性を有するクッション部をさらに備えたことを特徴とする浴室洗い場床構造である。
【００１８】
この浴室洗い場床構造によれば、沈み込み抑制体に荷重が掛かった際に、金属製のフレーム体に当接することで異音が発生したり、破損してしまったりすることを抑制することができる。
【発明の効果】
【００１９】
本発明によれば、洗い場床にかかる荷重で熱可塑性発泡樹脂製の床面材の下方への沈み込みを抑制しつつ、施工性をより向上させた浴室洗い場床構造を提供することができる。
【図面の簡単な説明】
【００２０】
【図１】実施形態に係る浴室ユニットを模式的に表す斜視図である。
【図２】実施形態に係る浴室ユニットの洗い場床構造を模式的に表す斜視図である。
【図３】実施形態に係る浴室ユニットの洗い場床構造を模式的に表す底面図である。
【図４】実施形態に係る浴室ユニットの洗い場床構造を模式的に表す断面図である。
【図５】実施形態に係る浴室ユニットの洗い場床構造を模式的に表す平面図である。
【図６】実施形態に係る浴室ユニットの洗い場床構造の変形例を模式的に表す断面図である。
【図７】実施形態に係る浴室ユニットの洗い場床構造の変形例を模式的に表す底面図である。
【発明を実施するための形態】
【００２１】
以下、実施形態について図面を参照しつつ説明する。なお、各図面中、同様の構成要素には同一の符号を付して詳細な説明は適宜省略する。  
図１は、実施形態に係る浴室ユニットを模式的に表す斜視図である。  
図１に表したように、浴室ユニット２は、洗い場床１０と、浴槽６０と、壁パネル７１ａ〜７１ｆと、を備える。
【００２２】
浴槽６０の底部の裏面における四隅近傍には、支持脚６１が設けられ、その支持脚６１を介して、浴槽６０は浴室設置面（例えば、建物の床）１００の上に設置される。支持脚６１の先端側（下端側）にはボルト部が設けられ、そのボルト部を回転させることで支持脚６１の高さが調整可能となっている。
【００２３】
浴槽６０の横の空間における底部に、洗い場床１０が設置されている。洗い場床１０の表面１５ａは、浴室外部に水を漏出させない防水性を有する。なお、本願明細書において「水」という場合には、冷水のみならず、加温されたお湯も含むものとする。
【００２４】
洗い場床１０の裏側（下方側）において、浴槽６０との境界部近傍には排水配管６２が設けられている。洗い場床１０において、例えば浴槽６０との境界部近傍には、排水配管６２に連通する排水口（図１では、着脱自在の蓋６３で塞がれている）が形成されている。排水口が設けられた部分はくぼんでおり、洗い場床１０の表面１５ａには、排水口に向けて下向き傾斜した排水勾配が付けられている。また、浴槽６０の底部に設けられた図示しない排水口も、排水配管６２に接続されている。
【００２５】
図１において２点鎖線で表すように、浴槽６０のリムの上には壁パネル７１ａ〜７１ｃが設置されている。また、洗い場床１０の周縁部の上には、壁パネル７１ｄ〜７１ｆが設置されている。また、壁パネル７１ｆには図示しないドア取付枠を介してドアが取り付けられる。
【００２６】
浴槽６０と洗い場床１０との境界には、浴槽６０における洗い場床１０側の側面を覆い隠すバスエプロン６７が設けられている。なお、浴槽６０の構造によっては、バスエプロン６７を設けなくてよいものもある。
【００２７】
また、バスエプロン６７の長手方向の一端側と、壁パネル７１ｄとの間には小パネル６５ｂが設けられている。また、バスエプロン６７の長手方向の他端側と、壁パネル７１ｆとの間には小パネル６５ａが設けられている。小パネル６５ａ、６５ｂは、必要に応じて設けられ、省略可能である。
【００２８】
図２は、実施形態に係る浴室ユニットの洗い場床構造を模式的に表す斜視図である。  
図２に表したように、洗い場床１０は、床本体１５と、フレーム体３０と、を備える。床本体１５は、床面材１１と、クッション層１２と、表面材１３とを有する。床面材１１、クッション層１２、及び表面材１３は、いずれも樹脂により形成されている。
【００２９】
床本体１５の床面材１１は、フレーム体３０の上に載置され、フレーム体３０に支持される。床面材１１は、周縁部が上側に折り曲げられた浅底の器状（パン状）に形成されている。
【００３０】
床面材１１は、熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。本実施形態では、一例として発泡ポリプロピレンが用いられている。
【００３１】
床面材１１には、排水口用の開口部２１が形成されている。開口部２１が設けられた部分は、凹形状に形成されている。また、床面材１１の表面には、開口部２１に向けて下方に傾斜した排水勾配が形成されている。
【００３２】
表面材１３は、クッション層１２を介して床面材１１の上に設けられている。クッション層１２は、床面材１１と表面材１３との間に設けられている。クッション層１２の弾力性は、床面材１１及び表面材１３の弾力性よりも高い。クッション層１２には、排水口用の開口部２２が形成されている。
【００３３】
クッション層１２は、使用者に床面の柔らかい使用感を与える。クッション層１２の材料としては、例えば発泡ポリウレタン等の軟質素材が用いられている。クッション層１２の硬さ（柔らかさ）を変えることで、床面の硬さ（柔らかさ）の仕様を変更することができる。なお、クッション層１２は必要に応じて設けられ、省略可能である。
【００３４】
表面材１３は、床面材１１及びクッション層１２の上面を覆い、床本体１５（洗い場床１０）の表面１５ａを形成する。表面材１３は、床本体１５の表面１５ａに外観意匠性および防水性を与える。
【００３５】
表面材１３の材料としては、防水性及び可撓性を有する軟質樹脂シート材が用いられている。表面材１３の表面には、床本体１５の表面１５ａの意匠性や水はけ性を向上させるために、凹凸加工や柄模様を施したりすることも可能である。
【００３６】
表面材１３には、排水口用の開口部２３が形成されている。また、表面材１３の表面には、開口部２３に向けて下方に傾斜した排水勾配が形成されている。床面材１１の排水勾配及び表面材１３の排水勾配により、排水口に向けて下方へ傾斜した排水勾配が、床本体１５の表面１５ａに形成される。
【００３７】
フレーム体３０は、床本体１５を下方から支持する。フレーム体３０は、金属製の外枠３１と、金属製の格子部３２と、金属製の支持脚３３とを有する。外枠３１及び格子部３２は、例えば鋼材を組み合わせて形成され、樹脂から形成されている床本体１５よりも十分に高い強度を有する。
【００３８】
外枠３１は、４本のフレーム３１ａ〜３１ｄを有する。４本のフレーム３１ａ〜３１ｄは、四角形状に組み合わされ、外枠３１の外形（アウトライン）を形成する。フレーム３１ａとフレーム３１ｂとが平行に延び、フレーム３１ｃとフレーム３１ｄとが平行に延びている。４本のフレーム３１ａ〜３１ｄが形成する四角形状領域の面積は、床本体１５が形成する四角形状領域の面積とほぼ同じである。
【００３９】
フレーム３１ａ、３１ｂの長さは、フレーム３１ｃ、３１ｄの長さよりも長い。外枠３１は、例えば、上面視において長方形状である。フレーム３１ａ、３１ｂは、第１水平方向ＨＤ１に延びる。フレーム３１ｃ、３１ｄは、第１水平方向ＨＤ１と直交する第２水平方向ＨＤ２に延びる。第１水平方向ＨＤ１は、例えば、長方形状の外枠３１の長手方向であり、第２水平方向ＨＤ２は、例えば、長方形状の外枠３１の短手方向である。第１水平方向ＨＤ１は、換言すれば、洗い場床１０と浴槽６０とが並ぶ方向と直交する方向であり、第２水平方向ＨＤ２は、換言すれば、洗い場床１０と浴槽６０とが並ぶ方向と平行な方向である。
【００４０】
格子部３２は、外枠３１の内側を格子状に仕切る。格子部３２は、例えば、床本体１５の外枠３１よりも内側の部分を支持することにより、床本体１５の撓みを抑制する。このように、格子部３２を設けることにより、フレーム体３０によって、より適切に床本体１５を支持することができる。
【００４１】
格子部３２は、例えば、複数の第１延在部４１と、複数の第２延在部４２と、を有する。各第１延在部４１は、第１水平方向ＨＤ１に延び、第２水平方向ＨＤ２に並ぶ。各第２延在部４２は、第２水平方向ＨＤ２に延び、第１水平方向ＨＤ１に並ぶ。これにより、格子部３２は、複数の矩形状の隙間が第１水平方向ＨＤ１及び第２水平方向ＨＤ２に並ぶように、外枠３１の内側を仕切る。
【００４２】
また、複数の第１延在部４１の一部４１ａは、フレーム３１ｃとフレーム３１ｄとの間に設けられる。複数の第１延在部４１の別の一部４１ｂは、第２延在部４２の間に設けられる。このように、延在部は、外枠３１のフレーム間の全体に延びてもよいし、外枠３１のフレーム間の一部分のみに延びてもよい。
【００４３】
但し、格子部３２の構成は、上記に限定されるものではない。格子部３２は、例えば、複数の第１延在部４１のみを有する構成でもよいし、複数の第２延在部４２のみを有する構成でもよい。また、複数の延在部の延びる方向は、第１水平方向ＨＤ１及び第２水平方向ＨＤ２と異なる方向でもよい。格子部３２の構成は、外枠３１の内側を格子状に仕切り、床本体１５を適切に支持することができる任意の構成でよい。
【００４４】
フレーム体３０は、例えば、長方形状の外枠３１の四隅に対応して設けられた４本の支持脚３３を有する。各支持脚３３は、格子部３２の下面に設けられている。各支持脚３３は、格子部３２の下面から下方（設置面側）に向かって延びている。各支持脚３３は、外枠３１の下面に設けてもよい。
【００４５】
フレーム体３０は、各支持脚３３を介して設置面１００の上に設置される。各支持脚３３の先端側（下端側）にはボルト部が設けられ、そのボルト部を回転させることで各支持脚３３の高さが調整可能となっている。各支持脚３３の高さ調整により、フレーム体３０の上に支持される床本体１５の設置高さや水平度が調整される。
【００４６】
また、格子部３２には、排水口用の開口部３４が形成されたプレートが設けられている。フレーム体３０、床面材１１、クッション層１２および表面材１３は、それぞれの開口部２１、２２、２３、３４の位置を合わせて重ねられる。各開口部２１、２２、２３、３４の内側には、排水ピットが設けられる。排水ピットは、樹脂により形成され、非透水性を有する。排水ピットの内側には、排水口が設けられる。この排水口は、排水配管６２と接続される。これにより、床本体１５（洗い場床１０）の表面１５ａに流れた水が、排水ピットなどを介して排水配管６２に排水される。
【００４７】
図３は、実施形態に係る浴室ユニットの洗い場床構造を模式的に表す底面図である。  
図４は、実施形態に係る浴室ユニットの洗い場床構造を模式的に表す断面図である。  
図４は、図３のＡ１−Ａ２線断面を模式的に表す。  
図３及び図４に表したように、洗い場床１０は、沈み込み抑制体５０をさらに備える。沈み込み抑制体５０は、床本体１５の表面１５ａよりも下方に設けられるとともに、フレーム体３０に対して直接的に固定されることなく、フレーム体３０の上に設けられる。なお、本発明において、沈み込み抑制体５０がフレーム体３０に対して「直接的に固定されている」とは、沈み込み抑制体５０がフレーム体３０に螺子止め固定されていたり、接着剤等で接着固定されていること等である。一方で、本発明において、沈み込み抑制体５０がフレーム体３０に対して「直接的に固定されていない」とは、沈み込み抑制体５０がフレーム体３０に対して「間接的にのみ固定されている」ものも定義に含まれる。例えば、沈み込み抑制体５０が固定されている床本体１５が、フレーム体３０に嵌合固定されているものも、定義に含まれる。
【００４８】
沈み込み抑制体５０は、床面材１１よりも高い剛性を有する。沈み込み抑制体５０には、例えば、アルミニウム、ステンレス、鉄などの金属材料、あるいは硬質な樹脂材料などが用いられる。これにより、沈み込み抑制体５０は、床面材１１の沈み込みを抑制する。
【００４９】
沈み込み抑制体５０は、床本体１５に設けられる。より詳しくは、沈み込み抑制体５０は、床面材１１の下部に設けられる。沈み込み抑制体５０は、例えば、床面材１１の下部に埋め込まれている。これにより、沈み込み抑制体５０は、床面材１１とともにフレーム体３０の上に載置される。
【００５０】
このように、沈み込み抑制体５０は、ネジ止めや接着などによって直接的にフレーム体３０に固定されるものではない。直接的に固定されていない状態とは、例えば、工具などを用いることなく、フレーム体３０に対して容易に着脱できる状態である。例えば、フレーム体３０の上に単純に載っているだけの状態である。沈み込み抑制体５０は、フレーム体３０に対して着脱可能である。
【００５１】
但し、沈み込み抑制体５０は、浴室ユニット２を組み上げた状態においては、例えば、床面材１１及び床本体１５の排水口に設けられた締付フランジ（排水ピットと排水配管６２との接続部材）などを介して間接的にフレーム体３０に固定されている可能性はある。沈み込み抑制体５０は、少なくともフレーム体３０及び床面材１１の施工の段階においては、フレーム体３０に対して固定されることなく着脱可能である。
【００５２】
沈み込み抑制体５０は、複数の第１横支持材５１ａ〜５１ｇと、複数の第２横支持材５２ａ、５２ｂと、を有する。第１横支持材５１ａ〜５１ｇは、第１水平方向ＨＤ１に延び、高さ方向に厚みを有する。第１横支持材５１ａ〜５１ｇの高さ方向の厚みは、例えば、１０ｍｍ以上１５０ｍｍ以下である。第１横支持材５１ａ、５１ｃ、５１ｅ、５１ｆ、５１ｇは、例えば、第１水平方向ＨＤ１に延び、第２水平方向ＨＤ２に並ぶ。同様に、第１横支持材５１ｂ、５１ｄ、５１ｅ、５１ｆ、５１ｇは、例えば、第１水平方向ＨＤ１に延び、第２水平方向ＨＤ２に並ぶ。また、第１横支持材５１ａ、５１ｂは、第１水平方向ＨＤ１に並ぶ。第１横支持材５１ｃ、５１ｄは、第１水平方向ＨＤ１に並ぶ。
【００５３】
第２横支持材５２ａ、５２ｂは、第２水平方向ＨＤ２に延び、第１水平方向ＨＤ１に並ぶ。第２横支持材５２ａ、５２ｂは、高さ方向に厚みを有する。第２横支持材５２ａ、５２ｂの高さ方向の厚みは、例えば、１０ｍｍ以上１５０ｍｍ以下である。第１横支持材５１ａ〜５１ｇは、第２横支持材５２ａ、５２ｂの間に設けられている。
【００５４】
但し、第１横支持材及び第２横支持材の数や配置などは、上記に限ることなく、任意でよい。複数の横支持材の延びる方向は、第１水平方向ＨＤ１や第２水平方向ＨＤ２に限ることなく、任意の水平方向でよい。
【００５５】
複数の第１横支持材５１ａ〜５１ｇの上端は、床面材１１の下端１１ａよりも上方に位置する。また、複数の第１横支持材５１ａ〜５１ｆの下端は、床面材１１の下端１１ａと略面一である。これにより、図４に表したように、床面材１１をフレーム体３０の上に載置した際に、第１横支持材５１ａ〜５１ｆも床面材１１の上に載置される。
【００５６】
ここで、「略面一」とは、例えば、第１横支持材の下端と床面材１１の下端１１ａとの高さの差が、±３ｍｍ以下の状態である。なお、第１横支持材５１ｇのように、第１横支持材の下端は、床面材１１の下端１１ａよりも上方に位置してもよい。反対に、第１横支持材の下端は、床面材１１の下端１１ａよりも下方に位置してもよい。
【００５７】
同様に、第２横支持材５２ａ、５２ｂの上端は、床面材１１の下端１１ａよりも上方に位置する。第２横支持材５２ａ、５２ｂの下端は、例えば、床面材１１の下端１１ａよりも上方に位置する。第２横支持材５２ａ、５２ｂの下端は、床面材１１の下端１１ａと略面一でもよいし、下端１１ａよりも下方に位置してもよい。
【００５８】
第１横支持材５１ａ〜５１ｆは、例えば、断面略矩形の角パイプ状（四角筒状）である。一方、第１横支持材５１ｇは、例えば、断面略円形の丸パイプ状（円筒状）である。また、第２横支持材５２ａ、５２ｂは、例えば、断面略円形の丸パイプ状である。角パイプは、丸パイプと比べて高い剛性を有する反面、丸パイプよりも高価である。従って、床本体１５の表面１５ａが排水勾配を有する場合には、排水口（排水勾配の最下点）に近く、床本体１５の厚さの薄い部分には、角パイプ状の横支持材を用い、外周付近の床本体１５の厚さの厚い部分には、丸パイプ状の横支持材を用いる。例えば、複数の横支持材の中で最も排水口に近い横支持材には、角パイプを用い、複数の横支持材の中で最も排水口から遠い横支持材には、丸パイプを用いる。これにより、床面材１１の沈み込みを適切に抑制しつつ、洗い場床１０の製造コストを抑制することができる。
【００５９】
図５は、実施形態に係る浴室ユニットの洗い場床構造を模式的に表す平面図である。  
図５に表したように、複数の第１横支持材５１ａ〜５１ｇ及び第２横支持材５２ａ、５２ｂは、上面視において、少なくとも一部がフレーム体３０の外枠３１及び格子部３２と重ならない位置に配置されている。
【００６０】
格子部３２の複数の第１延在部４１は、複数の第１横支持材５１ａ〜５１ｇと同方向に延びる。上面視において、複数の第１延在部４１と複数の第１横支持材５１ａ〜５１ｇとの間隔ＰＴ１は、１０ｃｍ以下である。換言すれば、上面視において、複数の第１延在部４１と複数の第１横支持材５１ａ〜５１ｇとの間に空く隙間の大きさは、１０ｃｍ以下である。ここで、隙間の大きさとは、複数の第１延在部４１と複数の第１横支持材５１ａ〜５１ｇとの間に空く隙間内に収まることが可能な円の最大直径を表す。
【００６１】
格子部３２の複数の第２延在部４２は、複数の第２横支持材５２ａ、５２ｂと同方向に延びる。上面視において、複数の第２延在部４２と複数の第２横支持材５２ａ、５２ｂとの間隔ＰＴ２は、１０ｃｍ以下である。間隔ＰＴ１、ＰＴ２は、より詳しくは、延在部と、これに隣接する横支持材との間隔である。
【００６２】
複数の第１延在部４１の一部の間には、複数の第１横支持材５１ｄ〜５１ｆが配置されている。これにより、複数の第１延在部４１の一部の間隔ＰＴ３を１４ｃｍ以上にすることができる。また、複数の第２延在部４２の一部の間隔ＰＴ４は、１４ｃｍ以上である。
【００６３】
図４及び図５に表したように、洗い場床１０は、クッション部５４をさらに備える。クッション部５４は、沈み込み抑制体５０とフレーム体３０との間に設けられる。クッション部５４は、沈み込み抑制体５０及びフレーム体３０よりも低い剛性を有する。クッション部５４は、例えば、弾性を有する。クッション部５４には、例えば、床面材１１と同様の熱可塑性発泡樹脂が用いられる。クッション部５４は、例えば、厚さ１ｍｍ〜５ｍｍ程度の熱可塑性発泡樹脂のシートである。但し、クッション部５４の材料は、上記に限ることなく、沈み込み抑制体５０及びフレーム体３０よりも低い剛性（弾性）を有する任意の材料でよい。
【００６４】
以上、説明したように、本実施形態に係る洗い場床１０（浴室洗い場床構造）によれば、床本体１５の表面１５ａよりも下方に設けられるとともに、フレーム体３０に対して直接的に固定されることなくフレーム体３０の上に設けられ、床面材１１よりも高い剛性を有し、床面材１１の沈み込みを抑制する沈み込み抑制体５０を備えたことにより、フレーム体３０の上に熱可塑性樹脂製の床面材１１を配置した際にも、人が洗い場床１０に載った際の荷重によって、床面材１１が大きく沈み込んでしまうことを抑制することができる。また、間隔の狭い格子などをフレーム体３０に設ける必要が無く、フレーム体３０の下方の視認性を確保し、かつ支持脚３３の調整などをし易くすることができる。従って、床面材１１が大きく沈み込んで歩き心地が悪くなる問題や、洗い場床１０に必要な排水勾配が適切に維持できないといった問題を解決しつつ、施工性を向上させることができる。
【００６５】
また、洗い場床１０では、高さ方向に厚みを有する複数の第１横支持材５１ａ〜５１ｇ及び複数の第２横支持材５２ａ、５２ｂによって、床面材１１が大きく沈み込んでしまうことを、より確実に抑制することができる。さらに、第１横支持材５１ａ〜５１ｇ及び第２横支持材５２ａ、５２ｂの上端が、床面材１１の下端１１ａよりも上方に位置することにより、第１横支持材５１ａ〜５１ｇ及び第２横支持材５２ａ、５２ｂが配置されている箇所と配置されていない箇所とで、床面材１１の底部に大きな段差が生じてしまうことを抑制でき、意図した洗い場床１０の排水勾配を、より適切に維持することができる。
【００６６】
また、洗い場床１０では、第１横支持材５１ａ〜５１ｇ及び第２横支持材５２ａ、５２ｂが、上面視において、少なくとも一部がフレーム体３０の外枠３１及び格子部３２と重ならない位置に配置されていることにより、横支持材の本数が少ない場合であっても、床面材１１が沈み込んでしまうことを、より確実に抑制することができる。
【００６７】
また、洗い場床１０では、上面視において、複数の第１延在部４１と複数の第１横支持材５１ａ〜５１ｇとの間隔ＰＴ１が、１０ｃｍ以下であり、複数の第２延在部４２と複数の第２横支持材５２ａ、５２ｂとの間隔ＰＴ２が、１０ｃｍ以下である。これにより、複数の第１延在部４１、第２延在部４２、第１横支持材５１ａ〜５１ｇ、及び第２横支持材５２ａ、５２ｂによって、しっかりと床面材１１の沈み込みを抑制することができる。
【００６８】
間隔ＰＴ１、ＰＴ２は、より好ましくは、７ｃｍ以下である。間隔ＰＴ１、ＰＴ２を７ｃｍ以下とすることにより、例えば、二足歩行可能な年齢以上の人の足のサイズよりも間隔ＰＴ１、ＰＴ２を小さくすることができる。従って、洗い場床１０上に人が立って荷重がかかっても、足の裏からの荷重をフレーム体３０及び沈み込み抑制体５０で受けることができ、大きく撓まないようにすることができる。このため、より安定感のある洗い場床１０を提供することができる。このように、間隔ＰＴ１、ＰＴ２は、子供の足のサイズを鑑みると、７ｃｍ以下がより好ましい。
【００６９】
洗い場床１０では、第１横支持材５１ａ〜５１ｇ及び第２横支持材５２ａ、５２ｂ同士の間に床面材１１の一部が設けられている。換言すれば、インサートされた第１横支持材５１ａ〜５１ｇ、及び第２横支持材５２ａ、５２ｂ同士の間に床面材１１の一部が充填されている。この場合、床面材１１の下方への沈み込み、及び幅方向への広がりを、挟んでいる複数の横支持材によって抑制することができる。従って、例えば、間隔ＰＴ１、ＰＴ２を７ｃｍ〜１０ｃｍの範囲に設定したとしても、比較的体重の軽い７ｃｍ程度の足のサイズの子供の荷重によって、床面材１１が大きく沈み込んでしまうことを、より確実に抑制することができる。
【００７０】
例えば、上記のように、複数の第１延在部４１の一部の間隔ＰＴ３、及び複数の第２延在部４２の一部の間隔ＰＴ４を、１４ｃｍ以上にすることができる。これにより、施工者の腕などをフレーム体３０の下方に入れ易くし、施工性をより向上させることができる。
【００７１】
また、洗い場床１０では、クッション部５４をさらに備えることにより、沈み込み抑制体５０に荷重が掛かった際に、金属製のフレーム体３０に当接することで異音が発生したり、フレーム体３０や沈み込み抑制体５０が破損してしまったりすることを抑制することができる。
【００７２】
図６は、実施形態に係る浴室ユニットの洗い場床構造の変形例を模式的に表す断面図である。  
なお、上記実施形態と機能・構成上実質的に同じものについては、同符号を付し、詳細な説明は省略する。  
図６に表したように、洗い場床１０ａでは、沈み込み抑制体５０（第１横支持材５１ｅ、５１ｆ）の下端が、床面材１１の下端１１ａよりも上方に位置する。また、洗い場床１０ａでは、床面材１１の一部が、沈み込み抑制体５０の下方に延在している。換言すれば、洗い場床１０ａでは、沈み込み抑制体５０が、床面材１１内に埋設されている。これにより、洗い場床１０ａでは、沈み込み抑制体５０の下方に延在した床面材１１の一部が、クッション部１１ｂとして機能する。
【００７３】
このように、クッション部は、別部材として設けることなく、床面材１１の一部をクッション部１１ｂとして利用してもよい。この場合にも、別のクッション部５４を設けた場合と同様に、異音の発生や破損などを抑制することができる。
【００７４】
図７は、実施形態に係る浴室ユニットの洗い場床構造の変形例を模式的に表す底面図である。  
図７に表したように、洗い場床１０ｂでは、沈み込み抑制体５０が、複数の第１横支持材５１と、複数の第２横支持材５２と、を有する。複数の第１横支持材５１は、第１水平方向ＨＤ１に延び、第２水平方向ＨＤ２に並ぶ。複数の第２横支持材５２は、第２水平方向ＨＤ２に延び、第１水平方向ＨＤ１に並ぶ。そして、洗い場床１０ｂでは、複数の第１横支持材５１が、複数の第２横支持材５２と接続されている。洗い場床１０ｂでは、沈み込み抑制体５０が、格子状の１つの部材として構成されている。このように、沈み込み抑制体５０は、１つの部材で構成してもよいし、図３などに関して説明したように、それぞれ独立した複数の部材で構成してもよい。
【００７５】
また、洗い場床１０ｂでは、上面視において、複数の第１横支持材５１のそれぞれの間隔ＰＴ１１が、１０ｃｍ以下である。換言すれば、上面視において、複数の第１横支持材５１のそれぞれの間に空く隙間の大きさが、１０ｃｍ以下である。
【００７６】
このように、沈み込み抑制体５０において、間隔ＰＴ１１が１０ｃｍ以下となるようにしてもよい。これにより、施工性を向上させつつ、床面材１１の沈み込みを、より確実に抑制することができる。また、このように、間隔ＰＴ１１を１０ｃｍ以下とする場合には、フレーム体３０の格子部３２を省略してもよい。これにより、床面材１１の沈み込みを抑制しつつ、施工性をより向上させることができる。なお、間隔ＰＴ１１は、子供の足のサイズを鑑みると、７ｃｍ以下がより好ましい。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
２ 浴室ユニット、  １０、１０ａ、１０ｂ 洗い場床、  １１ 床面材、  １１ａ 下端、  １１ｂ クッション部、  １２ クッション層、  １３ 表面材、  １５ 床本体、  １５ａ 表面、  ２１ 開口部、  ２２ 開口部、  ２３ 開口部、  ３０ フレーム体、  ３１ 外枠、  ３１ａ〜３１ｄ フレーム、  ３２ 格子部、  ３３ 支持脚、  ３４ 開口部、  ４１ 第１延在部、  ４２ 第２延在部、  ５０ 沈み込み抑制体、  ５１、５１ａ〜５１ｇ 第１横支持材、  ５２、５２ａ、５２ｂ 第２横支持材、  ５４ クッション部、  ６０ 浴槽、  ６１ 支持脚、  ６２ 排水配管、  ６３ 蓋、  ６５ａ 小パネル、  ６５ｂ 小パネル、  ６７ バスエプロン、  ７１ａ〜７１ｆ 壁パネル、  １００ 設置面
【図１】
2019196673.tif 000003
【図２】
2019196673.tif 000004
【図３】
2019196673.tif 000005
【図４】
2019196673.tif 000006
【図５】
2019196673.tif 000007
【図６】
2019196673.tif 000008
【図７】
2019196673.tif 000009